(57)【要約】【課題】電子装置において、簡素な構成で水抜きを容易にする。【解決手段】電子装置は、音響部品（２）と、この音響部品（２）を収容し、この音響部品（２）用の空間（９，１０）が内部に形成された筐体３と、空間（９，１０）の一部を覆う第１の位置Ｐ１、および、この第１の位置Ｐ１よりも空間（９，１０）の筐体３外部への開口面積を大きくする第２の位置、をとる蓋体（４）と、を備える。【選択図】図２Ｃ
2010114548.tif 000002
【特許請求の範囲】
【請求項１】
音響部品を収容し、該音響部品用の空間が内部に形成された筐体と、
前記空間の一部を覆う第１の位置、および、該第１の位置よりも前記空間の前記筐体外部への開口面積を大きくする第２の位置、をとる蓋体と、
を備えることを特徴とする電子装置。
【請求項２】
インターフェース部を更に備え、
前記蓋体は、前記第１の位置において、前記空間の一部を覆うと共に、更に前記インターフェース部を覆う、
ことを特徴とする請求項１記載の電子装置。
【請求項３】
前記蓋体は、前記第１の位置において、前記筐体との間に、該筐体外部に開口する音響用孔を形成することを特徴とする請求項１記載の電子装置。
【請求項４】
前記空間は、前気室、および、該前気室と前記音響部品との間に位置する後気室、を含み、
前記電子装置は、前記前気室と前記後気室との間に位置する防水部を更に備え、
前記蓋体は、前記第１の位置において、前記前気室の一部を覆う、
ことを特徴とする請求項１記載の電子装置。
【発明の詳細な説明】
【技術分野】
【０００１】
本発明は、音響部品を備える電子装置に関する。
【背景技術】
【０００２】
従来、例えば、携帯電話機、ＰＤＡ（Personal Digital Assistant）、デジタルカメラ、パーソナルコンピュータ、携帯型デジタル音楽プレーヤー、ラジオ受信機等の電子装置には、マイク、レシーバ、スピーカ等の音響部品が配置される。そのため、電子装置の筐体には、音の通路を確保するための音響用の孔が形成される。しかしながら、音響用の孔からは液体が浸入してしまう。
【０００３】
そこで、音響用の孔の内側に配置した発泡性のスリーブによって、浸入する液体を吸収すると共に浸入する液体の圧力を軽減させ、また、スリーブの内部に浸入してしまった液体に対しては、重力の働く方向に排水する手法がとられている（例えば、特許文献１参照）。
【０００４】
また、音響性能を確保しつつ液体の浸入を防ぐために、前気室と音響部品との間に防水紙を配置する手法がとられている（例えば、特許文献２参照）。
【特許文献１】特開平６−２９２２８８号公報
【特許文献２】特開平７−１３１３７５号公報
【発明の開示】
【発明が解決しようとする課題】
【０００５】
しかしながら、上記特許文献１のように、スリーブの内部に浸入してしまった液体を重量の働く方向に排水するためには、排水のための流路を形成したり、排水のために水を通す材料を用いたりする必要があるため、構成が制限されるという問題がある。
【０００６】
また、上記特許文献２のように、前気室と音響部品との間に防水紙を配置する手法では、前気室に溜まった液体が音響用の孔から抜けにくくなり、目的の音響性能を確保できないという問題がある。
【０００７】
本発明の課題は、上記従来の実情に鑑み、簡素な構成で水抜きを容易にすることができる電子装置を提供することである。
【課題を解決するための手段】
【０００８】
この電子装置は、音響部品を収容し、この音響部品用の空間が内部に形成された筐体と、上記空間の一部を覆う第１の位置、および、この第１の位置よりも上記空間の上記筐体外部への開口面積を大きくする第２の位置、をとる蓋体と、を備えることを要件とする。
【発明の効果】
【０００９】
開示の電子装置では、蓋体は、音響部品用の空間の一部を覆う第１の位置、および、この第１の位置よりも空間の筐体外部への開口面積を大きくする第２の位置、をとる。そのため、蓋体が第２の位置にあるときに、空間に溜まった水の排水作業が容易となる。よって、開示の電子装置によれば、簡素な構成で水抜きを容易にすることができる。
【発明を実施するための最良の形態】
【００１０】
以下、本発明の実施の形態に係る電子装置、例えば携帯電話機について、図面を参照しながら説明する。
図１Ａは、本発明の一実施の形態に係る携帯電話機１の開放状態を示す平面図である。図１Ｂは、上記携帯電話機１の開放状態を示す左側面図である。
【００１１】
図２Ａは、上記携帯電話機１の要部平面図である。図２Ｂは、図２ＡのＩ−Ｉ断面図である。図２Ｃは、図２ＢのＡ部拡大図である。
図３Ａは、上記携帯電話機１の、キャップ４を取り外した状態の要部平面図である。図３Ｂは、図３ＡのII−II断面図である。図３Ｃは、図３ＢのＢ部拡大図である。
【００１２】
携帯電話機１は、図２Ｃ等に示すように、音響部品としてのマイク部２、このマイク部２を収容する筐体３と、蓋体としてのキャップ４と、を備える。
携帯電話機１は、図１Ａ及び図１Ｂに示すヒンジ部５を中心に折り畳み可能となっている。ヒンジ部５を挟んだ携帯電話機１の一方、つまり図１Ａおよび図１Ｂにおける手前側には、筐体３外部に開口する音響用孔としてのマイク孔３ａ、上記キャップ４、テンキーを含む操作部６等が配設され、他方には、矩形の液晶表示部７、図示しないスピーカ用のスピーカ孔３ｂ等が配設されている。
【００１３】
マイク部２は、図２Ｃに示すように、基板８に実装されたＳＭＴ（Surface Mount Technology）マイクであり、マイク孔３ａ、後述する前気室９および後気室１０、並びに、基板８の貫通孔８ａを介して、筐体３外部の音声を集音する。
【００１４】
筐体３の内部には、マイク孔３ａとマイク部２との間に、音響部品、例えばマイク部２用の空間としての前気室９および後気室１０が形成されている。なお、図２Ｃに示す状態では、前気室９には、マイク孔３ａから水Ｗが浸入している。
【００１５】
前気室９はマイク孔３ａに連通し、後気室１０は基板８の貫通孔８ａに連通している。また、前気室９と後気室１０との間には、防水部としての、水を遮断しつつ音を通過させる防水シート１１が配設されている。
【００１６】
前気室９は、筐体３、キャップ４、防水シート１１および円環状の両面テープ１２により区画されている。両面テープ１２は、筐体３と防水シート１１との間に配置され、前気室９の側壁を構成している。
【００１７】
後気室１０は、マイク部２、基板８、防水シート１１および円環状の発泡性緩衝材１３により区画されている。発泡性緩衝材１３は、防水シート１１と基板８との間に配置され、後気室１０の側壁を構成している。
【００１８】
キャップ４は、図２Ａ、図２Ｂ等に示すように、携帯電話機１の正面側、つまり図１Ａおよび図１Ｂにおける手前側に位置する基部４ａと、この基部４ａの上端中央からマイク孔３ａに向かって延びる延出部４ｂとを有し、平面視Ｔ字状を呈する。
【００１９】
図２Ｃに示すように、筐体３には、キャップ４の延出部４ｂが筐体３の外面から突出しないように、延出部４ｂを収容する凹部３ｃが形成されている。また、筐体３には、凹部３ｄと連続した位置に開口部３ｄが形成されている。
【００２０】
キャップ４は、開口部３ｄにおいて、延出部４ｂによって前気室９の一部を覆う第１の位置Ｐ１（図２Ａ〜図２Ｃ参照）と、この第１の位置Ｐ１よりも前気室９の筐体３外部への開口面積を大きくする第２の位置Ｐ２（図３Ａ〜図３Ｃ参照）とをとる。
【００２１】
具体的には、キャップ４は、筐体３に対し着脱自在となっており、筐体３に装着される際は第１の位置Ｐ１にあり、取り外された位置が第２の位置Ｐ２となる。
キャップ４の延出部４ｂは、第１の位置Ｐ１において、筐体３の開口部３ｄの一部を覆うことで、前気室９の一部を覆うと共に開口部３ｄのうち覆われない部分にキャップ孔３ａを形成する。
【００２２】
また、キャップ４は、第１の位置Ｐ１において、携帯電話機１の正面側に位置し外部機器に接続される、インターフェース部としての接続端子１４を、基部４ａにより覆う。
以上説明した本実施の形態では、キャップ４は、前気室９の一部を覆う第１の位置Ｐ１、および、この第１の位置Ｐ１よりも筐体３外部への前気室９の開口面積を大きくする第２の位置Ｐ２、をとる。そのため、キャップ４が第２の位置Ｐ２にあるとき、即ちキャップ４を取り外した際に、前気室９に溜まった水の排水作業が容易となる。よって、本実施の形態によれば、キャップ４を配置するという簡素な構成で、前気室９に溜まった水Ｗの水抜きを容易にすることができる。
【００２３】
また、本実施の形態によれば、キャップ４は、マイク孔３ａを形成する第１の位置Ｐ１において接続端子１４を覆うため、部品点数を増やす必要がなく、したがって、より簡素な構成で、前気室９に溜まった水Ｗの水抜きを容易にすることができる。更には、接続端子１４に外部機器を接続する場合に、キャップ４を開放することで、合わせて水Ｗの水抜きを行うことができる。
【００２４】
また、本実施の形態によれば、キャップ４は、第１の位置Ｐ１において、筐体３との間に、筐体３外部に開口するマイク孔３ａを形成するため、より簡素な構成で、前気室９に溜まった水Ｗの水抜きを容易にすることができる。
【００２５】
また、本実施の形態によれば、キャップ４は、防水シート１１により後気室１０と仕切られた前気室９の一部を覆うことでマイク孔３ａを形成するため、前気室９および後気室１０によって音響性能を確保しつつ前気室９に溜まった水Ｗの水抜きを容易に行うことができる。
【００２６】
また、本実施の形態によれば、キャップ４は、マイク孔３ａを形成する第１の位置Ｐ１において筐体３に装着され、この筐体３に対し着脱自在であるため、キャップ４を着脱することで水Ｗの水抜きを簡単に行うことができ、したがって、水Ｗの水抜きを一層容易にすることができる。
【００２７】
なお、以上説明した本実施の形態では、電子装置として携帯電話機１を例に説明したが、電子装置としては、例えば、マイク、レシーバ、スピーカ等の音響部品を備える装置であればよく、例えば、ＰＤＡ（Personal Digital Assistant）、デジタルカメラ、パーソナルコンピュータ、携帯型デジタル音楽プレーヤー、ラジオ受信機等の他の電子装置を用いてもよい。
【００２８】
また、本実施の形態では、音響部品用の空間として前気室９および後気室１０の２つの空間を例に説明したが、空間は１つであってもよい。また、音響部品用の空間としては、音響部品、例えばマイク部２専用の前気室９・後気室１０（空間）である必要はなく、他の機能を果たす空間であってもよい。
【００２９】
また、音響部品用の空間は、マイク孔３ａと連続しマイク孔３ａと同径の空間であってもよく、その場合には、キャップ４は、当該空間の奥行き方向に延びるように配置し、側方から当該空間の一部を覆うようにするとよい。
【００３０】
また、本実施の形態では、音響部品としてマイク部２を例に説明したが、音響部品としては、レシーバ、スピーカ等の他の音響部品を用いてもよい。
また、本実施の形態では、蓋体として、筐体３に着脱自在なキャップ４を例に説明したが、蓋体としては、第１の位置Ｐ１と第２の位置Ｐ２との間で移動自在な例えばスライド式の蓋体を用いてもよい。その場合、上記移動自在な蓋体は、第２の位置Ｐ２において、第１の位置Ｐ１よりも前気室９の開口面積を大きくすればよいため、第２の位置Ｐ２は、前気室９を覆わない位置に限られず、前気室９の一部を覆う位置であってもよい。
【００３１】
このように移動自在な蓋体を用いることでも、着脱自在なキャップ４と同様に、キャップ４を移動させることで水Ｗの水抜きを簡単に行うことができ、したがって、水Ｗの水抜きを一層容易にすることができる。
【００３２】
また、キャップ４は、第１の位置Ｐ１において、必ずしも音響用孔、例えばマイク孔３ａを形成する必要はなく、マイク孔３ａとは隣接しない位置で前気室９の一部を覆うようにしてもよい。
【００３３】
また、キャップ４は、例えば基部４ａの一部が筐体３に固定された状態で着脱自在となるもの、基部４ａ及び延出部４ｂのうち一方ずつが着脱自在となるもの、他の空間、例えば筐体３に形成された孔などを介して前気室９を覆うもの、などを用いてもよい。
【００３４】
また、本実施の形態では、インターフェース部として接続端子１４を例に説明したが、インターフェース部としては、外部機器との接続に用いられる接続端子１４その他の外部接続部、電源等の操作部、ランプ等の表示部なども含まれ、キャップ４が前気室９の一部を覆う際に、接続端子１４以外のインターフェース部を覆うようにしてもよい。
【００３５】
図４は、本発明の一実施の形態の変形例に係る携帯電話機１´の開放状態を示す平面図である。
図５Ａおよび図５Ｂは、携帯電話機１´の、キャップ４´を取り外した状態の平面図および左側面図である。
【００３６】
本変形例に係る携帯電話機１´のキャップ４´は、基部４ａ´がインターフェース部、例えば接続端子を覆うものではなく筐体３への取付け部分となっている。そのため、基部４ａ´を幅方向、つまり図４および図５Ａにおける左右方向に延ばす必要がなく、基部４ａ´の幅は延出部４ｂ´の幅と同等となっている。
【００３７】
本変形例のように、基部４ａ´が接続端子を覆わないキャップ４´を用いても、キャップ４を配置するという簡素な構成で、前気室９に溜まった水Ｗの水抜きを容易にすることができる。
【００３８】
以上説明した一実施の形態およびその変形例に関し、更に以下の付記を開示する。
（付記１）
音響部品を収容し、該音響部品用の空間が内部に形成された筐体と、
前記空間の一部を覆う第１の位置、および、該第１の位置よりも前記空間の前記筐体外部への開口面積を大きくする第２の位置、をとる蓋体と、
を備えることを特徴とする電子装置。
（付記２）
インターフェース部を更に備え、
前記蓋体は、前記第１の位置において、前記空間の一部を覆うと共に、更に前記インターフェース部を覆う、
ことを特徴とする付記１記載の電子装置。
（付記３）
前記蓋体は、前記第１の位置において、前記筐体との間に、該筐体外部に開口する音響用孔を形成することを特徴とする付記１記載の電子装置。
（付記４）
前記空間は、前気室、および、該前気室と前記音響部品との間に位置する後気室、を含み、
前記電子装置は、前記前気室と前記後気室との間に位置する防水部を更に備え、
前記蓋体は、前記第１の位置において、前記前気室の一部を覆う、
ことを特徴とする付記１記載の電子装置。
（付記５）
前記蓋体は、前記第１の位置において前記筐体に装着され、該筐体に対し着脱自在であることを特徴とする付記１記載の電子装置。
（付記６）
前記蓋体は、前記第１の位置と前記第２の位置との間で移動自在であることを特徴とする付記１記載の電子装置。
【図面の簡単な説明】
【００３９】
【図１Ａ】本発明の一実施の形態に係る携帯電話機の開放状態を示す平面図である。
【図１Ｂ】本発明の一実施の形態に係る携帯電話機の開放状態を示す左側面図である。
【図２Ａ】本発明の一実施の形態に係る携帯電話機の要部平面図である。
【図２Ｂ】図２ＡのＩ−Ｉ断面図である。
【図２Ｃ】図２ＢのＡ部拡大図である。
【図３Ａ】本発明の一実施の形態に係る携帯電話機の、キャップを取り外した状態の要部平面図である。
【図３Ｂ】図３ＡのII−II断面図である。
【図３Ｃ】図３ＢのＢ部拡大図である。
【図４】本発明の一実施の形態の変形例に係る携帯電話機の開放状態を示す平面図である。
【図５Ａ】本発明の一実施の形態の変形例に係る携帯電話機の、キャップを取り外した状態の平面図である。
【図５Ｂ】本発明の一実施の形態の変形例に係る携帯電話機の、キャップを取り外した状態の左側面図である。
【符号の説明】
【００４０】
１      携帯端末
２      マイク部
３      筐体
３ａ      マイク孔
３ｂ      スピーカ孔
３ｃ      凹部
３ｄ      開口部
４      キャップ
４ａ      基部
４ｂ      延出部
５      ヒンジ部
６      操作部
７      液晶表示部
８      基板
８ａ      貫通孔
９      前気室
１０      後気室
１１      防水シート
１２      両面テープ
１３      発泡性緩衝材
１４      接続端子
【図１Ａ】
2010114548.tif 000003
【図１Ｂ】
2010114548.tif 000004
【図２Ａ】
2010114548.tif 000005
【図２Ｂ】
2010114548.tif 000006
【図２Ｃ】
2010114548.tif 000007
【図３Ａ】
2010114548.tif 000008
【図３Ｂ】
2010114548.tif 000009
【図３Ｃ】
2010114548.tif 000010
【図４】
2010114548.tif 000011
【図５Ａ】
2010114548.tif 000012
【図５Ｂ】
2010114548.tif 000013